(57)【要約】【課題】信号劣化の発生又は消滅の的確な検出等を図る。【解決手段】伝送路１１に流れるトラフィックのレートを測定器１２で、また、制御用トラフィックのレートを測定器１３で計測する。信号劣化発生検出器１５が、測定器１２で測定されたレートと信号劣化検出しきい値出力器１４からのしきい値とを比較して信号劣化の発生の有無を検出する。信号劣化の発生検出時の測定器１３で測定されたレートを廃棄バイトレート保存器１６に記録する。その後に測定器１３で計測されるレートと廃棄バイトレート保存器１６に記録されたレートとを信号劣化復旧検出器１７で比較して信号劣化の復旧の有無を検出する。【選択図】図１
2007274613.tif 000002
【特許請求の範囲】
【請求項１】
伝送路に流れる伝送データの信号劣化をトラフィックに基づいて検出する信号劣化検出方法であって、
前記トラフィックの廃棄データレートを測定し、
測定された廃棄データレートを予め設定されたしきい値と比較して、前記信号劣化を検出することを特徴とする信号劣化検出方法。
【請求項２】
伝送路に流れる伝送データの信号劣化からの復旧を検出する信号復旧検出方法であって、
信号劣化検出後に測定された制御トラフィックの廃棄データレートと前記信号劣化の検出時のしきい値に所定の乗数を掛けた値とを比較して前記信号劣化からの復旧を検出することを特徴とする信号復旧検出方法。
【請求項３】
伝送路に流れる伝送データの信号劣化からの復旧を検出する信号復旧検出方法であって、
前記伝送路に流れる制御トラフィックの廃棄データレートを測定し、
信号劣化検出時に測定された前記廃棄データレートを保存し、
前記信号劣化検出後に測定された前記制御トラフィックの廃棄データレートと前記保存された廃棄データレートとを比較して前記信号劣化からの復旧を検出することを特徴とする信号復旧検出方法。
【請求項４】
伝送路に流れる伝送データの信号劣化からの復旧を検出する信号復旧検出方法であって、
前記伝送路に流れるトラフィックのデータエラーレートを測定し、
信号劣化検出時に測定された前記データエラーレートを保存し、
前記信号劣化検出後に測定される前記データエラーレートと前記保存されたデータエラーレートとを比較して前記信号劣化からの復旧を検出することを特徴とする信号復旧検出方法。
【請求項５】
前記廃棄データレートは、ＦＣＳによる廃棄バイトレートであることを特徴とする請求項１又は２記載の信号劣化検出方法。
【請求項６】
前記廃棄データレートは、ＦＣＳによる廃棄バイトレートであることを特徴とする請求項３記載の信号復旧検出方法。
【請求項７】
前記データエラーレートは、ビットエラーレートであることを特徴とする請求項４記載の信号復旧検出方法。
【請求項８】
伝送路に流れる伝送データの信号劣化をトラフィックに基づいて検出する信号劣化検出装置であって、
前記トラフィックの廃棄データレートを測定する測定手段と、
予め設定されたしきい値を出力するしきい値出力手段と、
前記測定手段で測定された廃棄データレートを前記しきい値出力手段の前記しきい値と比較して前記信号劣化を検出する検出手段とを備えることを特徴とする信号劣化検出装置。
【請求項９】
伝送路に流れる伝送データの信号劣化からの復旧を検出する信号復旧検出装置であって、
信号劣化検出後に測定された制御トラフィックの廃棄データレートと前記信号劣化の検出時のしきい値に所定の乗数を掛けた値とを比較して前記信号劣化からの復旧を検出する検出手段を備えることを特徴とする信号復旧検出装置。
【請求項１０】
伝送路に流れる伝送データの信号劣化からの復旧を検出する信号復旧検出装置であって、
前記伝送路に流れる制御トラフィックの廃棄データレートを測定する測定手段と、
信号劣化検出時に前記測定手段によって測定された前記廃棄データレートを保存する保存手段と、
前記信号劣化検出後に前記測定手段によって測定された廃棄データレートと前記保存手段の前記廃棄データレートとを比較して前記信号劣化からの復旧を検出する検出手段とを備えることを特徴とする信号復旧検出装置。
【請求項１１】
伝送路に流れる伝送データの信号劣化からの復旧を検出する信号復旧検出装置であって、
前記伝送路に流れるトラフィックのデータエラーレートを測定する測定手段と、
信号劣化検出時に前記測定手段によって測定された前記データエラーレートを保存する保存手段と、
前記信号劣化検出後に前記測定手段によって測定された前記データエラーレートと前記保存手段の前記データエラーレートとを比較して前記信号劣化からの復旧を検出する検出手段とを備えることを特徴とする信号復旧検出装置。
【請求項１２】
前記廃棄データレートは、ＦＣＳによる廃棄バイトレートであることを特徴とする請求項８又は９記載の信号劣化検出装置。
【請求項１３】
前記廃棄データレートは、ＦＣＳによる廃棄バイトレートであることを特徴とする請求項１０記載の信号復旧検出装置。
【請求項１４】
前記データエラーレートは、ビットエラーレートであることを特徴とする請求項１１記載の信号復旧検出装置。
【請求項１５】
送信装置から伝送路に送信されたトラフィックの信号劣化が受信装置で検出されるとき、前記信号劣化の検出を前記送信装置へ通知して前記トラフィックに対してプロテクションを設定し、前記信号劣化からの復旧が受信装置で検出されるとき、前記信号劣化からの復旧を前記送信装置へ通知して前記プロテクションを解除するトラフィック伝送方法であって、
前記信号劣化を請求項１又は５記載の信号劣化検出方法により検出し、前記信号劣化からの復旧を請求項２、３、４、６又は７記載の信号復旧検出方法により検出することを特徴とするトラフィック伝送方法。
【請求項１６】
プロテクション制御手段を有する送信装置が伝送路を介して信号劣化検出装置及び信号復旧検出装置を有する受信装置に接続され、前記伝送路に送信されたトラフィックの信号劣化を前記信号劣化検出装置で検出して前記送信装置へ通知し前記プロテクション制御手段により前記トラフィックに対してプロテクションを設定し、前記信号劣化からの復旧を前記信号復旧検出装置で検出して前記送信装置へ通知し前記プロテクション制御手段により前記プロテクションを解除するトラフィック伝送システムであって、
前記信号劣化を請求項８又は１２記載の信号劣化検出装置により検出し、前記信号劣化からの復旧を請求項９、１０、１１、１３又は１４記載の信号復旧検出装置により検出することを特徴とするトラフィック伝送システム。
【発明の詳細な説明】
【技術分野】
【０００１】
この発明は、信号劣化検出方法、信号復旧検出方法及びそれらの装置並びにトラフィック伝送システムに関し、詳しくは伝送路の信号劣化を的確に判別するのに好適な信号劣化検出方法、信号復旧検出方法及びそれらの装置並びにトラフィック伝送システムに関する。
【背景技術】
【０００２】
従来からパケットネットワークが通信システムの中に構築されており、近年、そのパケットネットワークの構築においてその信頼性の高度化への要求が高まり、パケットネットワークにおいても従来のＳＤＨ方式と同様に伝送路に流れるトラフィックの信号劣化をプロテクションのトリガとするような通信方式が提案されている。例えば、ＩＥＥＥ802.17で標準化されたＲＰＲ（Ｒesilient Ｐacket Ｒing）では、プロテクションのトリガの１つとして伝送路の信号劣化（Ｓignal Ｄegrade）を規定している。
このようなパケットネットワークでは伝送路としてパケットネットワークの親和性の高いＥthernet（登録商標）等のパケット通信方式を用いることが多い。
【発明の開示】
【発明が解決しようとする課題】
【０００３】
しかしながら、上述したＥthernet（登録商標）を初めとするパケット通信方式においては次のような技術的課題がある。
その第1の課題は、Ｅthernet（登録商標）を初めとするパケット通信方式ではSDH方式のような常時ビットエラーレートを監視する機能を有していないため、伝送路の信号劣化を検出できず、伝送路の信号劣化の障害が発生しても当該伝送路から正常な伝送路にプロテクションによって切り替えることができないという問題である。
【０００４】
第2の技術的課題は、Ｅthernet（登録商標）を初めとするパケット通信方式ではパケットの誤り検出を行うFCS（Ｆrame Ｃheck Ｓequence）エラーによって伝送路の信号劣化を検出している。そのため、パケットの一部が誤ったとしてもトラフィックの廃棄をその誤りのあるパケット単位で行うような方式を採用している。
この方式において、ビットエラーレートが測定されたとしても、パケットの長さによって廃棄されるトラフィック量が異なって来るから、実際のトラフィックの廃棄バイトレート、すなわち、どれ位のトラフィック量が正常に伝送されていないかを測定したことにならない。換言すれば、ビットエラーレートの測定では、トラフィックの廃棄バイトレートまでも測定され得ない。つまり、ビットエラーレートを測定しただけでは実際にトラフィックが多量に廃棄されている状況を判断することはできないという問題である。
【０００５】
これを具体的に言えば、パケット長の長いトラフィックが多数流れている場合と、パケット長の短いトラフィックが多数流れている場合とでは、それらトラフィックのビットエラーレートが同一であったとしても、前者の方が廃棄されるトラフィック量が多くなる。また、パケット長の長いトラフィックが多数流れているときに、発生するビットエラーレートが僅少であっても、殆どのトラフィックが廃棄されてしまうということが起こり得る。
【０００６】
第３の課題は、仮に伝送路に流れるトラフィックのＦＣＳエラーによるトラフィック廃棄バイトレートを測定して信号劣化の発生を検出し得たとしても、その検出をトリガにして各種プロトコルのプロテクションが動作すると、当該伝送路に制御用トラフィック以外の通常トラフィックは流れなくなる。その結果、廃棄される通常トラフィックは殆ど無くなり、通常トラフィックの廃棄バイトレートはほぼ０となる。そのため、伝送路の信号劣化は検出し続けることができず、信号劣化からの復旧を検出してしまい、プロテクションが解除されてしまう。
プロテクションが解除されると、プロテクション発生前のトラフィックが、再び、伝送路に流れ、伝送路の信号劣化の発生を検出し、再びプロテクションが発生するという繰り返しが生ずるという問題である。
【０００７】
この発明は、上述の事情に鑑みてなされたもので、伝送路で廃棄されるトラフィック量に基づいて信号劣化の検出、復旧を行う信号劣化検出方法、信号復旧検出方法及びそれらの装置並びにトラフィック伝送システムを提供することを目的としている。
【課題を解決するための手段】
【０００８】
上記課題を解決するために、請求項１記載の発明は、伝送路に流れる伝送データの信号劣化をトラフィックに基づいて検出する信号劣化検出方法に係り、上記トラフィックの廃棄データレートを測定し、測定された廃棄データレートを予め設定されたしきい値と比較して上記信号劣化を検出することを特徴としている。
【０００９】
請求項２記載の発明は、伝送路に流れる伝送データの信号劣化からの復旧を検出する信号復旧検出方法に係り、信号劣化検出後に測定された制御トラフィックの廃棄データレートと前記信号劣化の検出時のしきい値に所定の乗数を掛けた値とを比較して前記信号劣化からの復旧を検出することを特徴としている。
【００１０】
請求項３記載の発明は、伝送路に流れる伝送データの信号劣化からの復旧を検出する信号復旧検出方法に係り、上記伝送路に流れる制御トラフィックの廃棄データレートを測定し、信号劣化検出時に測定された上記廃棄データレートを保存し、上記信号劣化検出後に測定された上記制御トラフィックの廃棄データレートと上記保存された廃棄データレートとを比較して上記信号劣化からの復旧を検出することを特徴としている。
【００１１】
請求項４記載の発明は、伝送路に流れる伝送データの信号劣化からの復旧を検出する信号復旧検出方法に係り、上記伝送路に流れるトラフィックのデータエラーレートを測定し、信号劣化検出時に測定された上記データエラーレートを保存し、上記信号劣化検出後に測定される上記データエラーレートと上記保存されたデータエラーレートとを比較して上記信号劣化からの復旧を検出することを特徴としている。
【００１２】
請求項５記載の発明は、請求項１又は２記載の信号劣化検出方法に係り、上記廃棄データレートは、ＦＣＳによる廃棄バイトレートであることを特徴としている。
【００１３】
請求項６記載の発明は、請求項３記載の信号復旧検出方法に係り、上記廃棄データレートは、ＦＣＳによる廃棄バイトレートであることを特徴としている。
【００１４】
請求項７記載の発明は、請求項４記載の信号復旧検出方法に係り、上記データエラーレートは、ビットエラーレートであることを特徴としている。
【００１５】
請求項８記載の発明は、伝送路に流れる伝送データの信号劣化をトラフィックに基づいて検出する信号劣化検出装置に係り、上記伝送路に流れる上記トラフィックの廃棄データレートを測定する測定手段と、予め設定されたしきい値を出力するしきい値出力手段と、上記測定手段で測定された廃棄データレートを上記しきい値出力手段の上記しきい値と比較して上記信号劣化を検出する検出手段とを備えることを特徴としている。
【００１６】
請求項９記載の発明は、伝送路に流れる伝送データの信号劣化からの復旧を検出する信号復旧検出装置に係り、信号劣化検出後に測定された制御トラフィックの廃棄データレートと上記信号劣化検出時のしきい値に所定の乗数を掛けた値とを比較して上記信号劣化からの復旧を検出する検出手段を備えることを特徴としている。
【００１７】
請求項１０記載の発明は、伝送路に流れる伝送データの信号劣化からの復旧を検出する信号復旧検出装置に係り、上記伝送路に流れる制御トラフィックの廃棄データレートを測定する測定手段と、信号劣化検出時に上記測定手段によって測定された上記廃棄データレートを保存する保存手段と、上記信号劣化検出後に上記測定手段によって測定された廃棄データレートと上記保存手段の上記廃棄データレートとを比較して上記信号劣化からの復旧を検出する検出手段とを備えることを特徴としている。
【００１８】
請求項１１記載の発明は、伝送路に流れる伝送データの信号劣化からの復旧を検出する信号復旧検出装置に係り、上記伝送路に流れるトラフィックのデータエラーレートを測定する測定手段と、信号劣化検出時に上記測定手段によって測定された上記データエラーレートを保存する保存手段と、上記信号劣化検出後に上記測定手段によって測定された上記データエラーレートと上記保存手段の上記データエラーレートとを比較して上記信号劣化からの復旧を検出する検出手段とを備えることを特徴としている。
【００１９】
請求項１２記載の発明は、請求項８又は９記載の信号劣化検出装置に係り、上記廃棄データレートは、ＦＣＳによる廃棄バイトレートであることを特徴としている。
【００２０】
請求項１３記載の発明は、請求項１０記載の信号復旧検出装置に係り、上記廃棄データレートは、ＦＣＳによる廃棄バイトレートであることを特徴としている。
【００２１】
請求項１４記載の発明は、請求項１１記載の信号復旧検出装置に係り、上記データエラーレートは、ビットエラーレートであることを特徴としている。
【００２２】
請求項１５記載の発明は、送信装置から伝送路に送信されたトラフィックの信号劣化が受信装置で検出されるとき、上記信号劣化の検出を上記送信装置へ通知して上記トラフィックに対してプロテクションを設定し、上記信号劣化からの復旧が受信装置で検出されるとき、上記信号劣化からの復旧を上記送信装置へ通知して上記プロテクションを解除するトラフィック伝送方法に係り、上記信号劣化を請求項１又は５記載の信号劣化検出方法により検出し、上記信号劣化からの復旧を請求項２、３、４、６又は７記載の信号復旧検出方法により検出することを特徴としている。
【００２３】
請求項１６記載の発明は、プロテクション制御手段を有する送信装置が伝送路を介して信号劣化検出装置及び信号復旧検出装置を有する受信装置に接続され、上記伝送路に送信されたトラフィックの信号劣化を上記信号劣化検出装置で検出して上記送信装置へ通知し上記プロテクション制御手段により上記トラフィックに対してプロテクションを設定し、上記信号劣化からの復旧を上記信号復旧検出装置で検出して上記送信装置へ通知し上記プロテクション制御手段により上記プロテクションを解除するトラフィック伝送システムに係り、上記信号劣化を請求項８又は１２記載の信号劣化検出装置により検出し、上記信号劣化からの復旧を請求項９、１０、１１、１３又は１４記載の信号復旧検出装置により検出することを特徴としている。
【発明の効果】
【００２４】
この発明によれば、伝送路の信号劣化の検出に、伝送路を経て伝送される情報トラフィックの廃棄データレートを測定して信号劣化を検出しているので、実際に伝送路で廃棄されたトラフィック量を計測することができる。したがって、ビットエラーレートが僅少の状態であっても多量のトラフィックがＦＣＳエラー等によって廃棄されているような状況であっても、信号劣化の発生を検出することができる。
【００２５】
また、信号劣化検出時に測定された制御トラフィックの廃棄データレート又はデータエラーレートを保存し、信号劣化検出後に測定された制御トラフィックの廃棄データレート又はデータエラーレートと保存された廃棄データレート又はデータエラーレートとを比較して信号劣化からの復旧を検出しているので、伝送路を流れる情報トラフィックに信号劣化が発生してその情報トラフィックに対してプロテクションが掛かっても、その情報トラフィックが流れなくなった伝送路でもその情報トラフィックの信号劣化からの復旧を検出することができる。また、信号劣化の発生及びその復旧の検出の繰り返しを回避することができる。
【発明を実施するための最良の形態】
【００２６】
この発明は、伝送路の信号劣化の検出において、伝送路を経て伝送される情報トラフィックの廃棄データレートを測定して信号劣化を検出し、信号劣化からの復旧検出に、信号劣化検出時に測定された制御トラフィックの廃棄データレート又はデータエラーレートを保存し、信号劣化検出後に測定された制御トラフィックの廃棄データレート又はデータエラーレートと保存された廃棄データレート又はデータエラーレートとを比較して信号劣化からの復旧を検出するようにして構成される。
【実施例１】
【００２７】
図１は、この発明の実施例１である信号劣化／復旧検出装置の電気的構成を示す図、また、図２は、同信号劣化／復旧検出装置の検出過程を示すフローチャートである。
この実施例の信号劣化／復旧検出装置１は、僅かなビットエラーレートで多量のトラフィックがＦＣＳエラーによって廃棄されている状況であっても伝送路の信号劣化を検出し得ると共に、信号劣化の検出でプロテクションが動作してトラフィックがながれなくなったとしても信号劣化の発生、そして復旧を検出し得る装置に係り、図１に示すように、ＦＣＳエラーによるトラフィック廃棄バイトレート測定器１２と、ＦＣＳエラーによる制御用トラフィック廃棄バイトレート測定器１３と、信号劣化検出しきい値出力器１４と、信号劣化発生検出器１５と、廃棄バイトレート保存器１６と、信号劣化復旧検出器１７とから構成されている。ＦＣＳエラーによるトラフィック廃棄バイトレート測定器１２及びＦＣＳエラーによる制御用トラフィック廃棄バイトレート測定器１３の入力は伝送路１１に接続されている。
【００２８】
ＦＣＳエラーによるトラフィック廃棄バイトレート測定器（ＦＣＳエラーによるトラフィック廃棄バイトレート測定器ともいう）１２は、伝送路１１に流れる（伝播されている）トラフィック（通常トラフィック及び制御用トラフィック）のＦＣＳエラーによるトラフィックの廃棄バイトレートＡを計測する。
ＦＣＳエラーによる制御用トラフィック廃棄バイトレート測定器１３は、伝送路１１に流れる（伝播されている）制御用トラフィック（制御トラフィック）のＦＣＳエラーによるトラフィックの廃棄バイトレートＢを計測する。
信号劣化検出しきい値出力器１４は、信号劣化の発生を検出するためのしきい値で、伝送装置を構成する上位制御部（図示せず）によって予め設定される値を格納する。
【００２９】
信号劣化発生検出器１５は、ＦＣＳエラーによるトラフィック廃棄バイトレート測定器１２で測定されたＦＣＳエラーによるトラフィックの廃棄バイトレートＡと信号劣化検出しきい値出力器１４から与えられるしきい値Ｃとを比較してレートＡがしきい値Ｃを超えた場合に信号劣化の発生を検出する。
廃棄バイトレート保存器１６は、信号劣化発生検出器１５が信号劣化の発生を検出したときの、ＦＣＳエラーによる制御用トラフィック廃棄バイトレート測定器１３で計測された制御用トラフィックのＦＣＳエラーによるトラフィックの廃棄バイトレートＢを記録する。
信号劣化復旧検出器１７は、ＦＣＳエラーによる制御用トラフィック廃棄バイトレート測定器１３で計測されたレートＢと廃棄バイトレート保存器１６に記録されたレートＤとを比較してレートＢがレートＤ未満になったとき信号劣化からの復旧を検出する。
【００３０】
次に、図１及び図２を参照して、この実施例の動作について説明する。
伝送路１１に流れるトラフィックのレートＡが、ＦＣＳエラーによるトラフィック廃棄バイトレート測定器１２（以下、測定器１２という）によって計測される。
伝送路１１に流れる制御用トラフィックのレートＢが、ＦＣＳエラーによる制御用トラフィック廃棄バイトレート測定器１３（以下、測定器１３という）によって計測される。
【００３１】
信号劣化発生検出器１５において、測定器１２で測定されたレートＡと信号劣化検出しきい値出力器１４から与えられるしきい値Ｃとが比較される（図２のステップＳ１）。レートＡがしきい値Ｃを超えているならば（図２のステップＳ１のＹes）、信号劣化の発生が信号劣化発生検出器１５で検出される（図２のステップＳ２）。
この信号劣化の発生検出時の、測定器１３で測定されたレートＢが、廃棄バイトレート保存器１６に記録される（図２のステップＳ３）。
【００３２】
その後に測定器１３で計測されるレートＢと廃棄バイトレート保存器１６に記録されたレートＤとが、信号劣化復旧検出器１７で比較される（図２のステップＳ４）。レートＢがレートＤ未満になったとき（図２のステップＳ４のＹes）、信号劣化からの復旧が信号劣化復旧検出器１７によって検出される（図２のステップＳ５）。
【００３３】
このように、この実施例の構成によれば、伝送路に流れるトラフィックのＦＣＳエラーによる廃棄バイトレートを用いて信号劣化の発生検出を行うので、実際に伝送路で廃棄されたトラフィック量を計測することができる。したがって、ビットエラーレートが僅少の状態であっても多量のトラフィックがＦＣＳエラーによって廃棄されているような状況であっても、信号劣化の発生、すなわち、トラフィックが通らない状態の発生を検出することができる。
【００３４】
伝送路を流れるトラフィックに信号劣化が発生してそのトラフィックに対してプロテクションが掛かっても、当該伝送路に流れる制御用トラフィックのＦＣＳエラーによる廃棄バイトレートを使用しているから、プロテクションが制御用トラフィック以外の通常トラフィックに働いてその通常トラフィックが流れなくなった伝送路でもその通常トラフィックの信号劣化の検出及び復旧を検出することができる。
【００３５】
信号劣化の復旧検出に使用する、制御用トラフィックの廃棄バイトレートのしきい値として、信号劣化が発生した時点での制御用トラフィックの廃棄バイトレートを記録して使用しているので、擬似的に、信号劣化の発生前に流れていたトラフィックの廃棄バイトレートが予め設定されていた信号劣化検出のしきい値を下回ったかを計測することになるから、信号劣化発生後に流れるトラフィックが変わっても継続して信号劣化の発生を検出することができ、信号劣化の発生及びその復旧の検出の繰り返しを回避することができる。
【実施例２】
【００３６】
図３は、この発明の実施例２である信号劣化／復旧検出装置の電気的構成を示す図である。
この実施例の構成が、実施例１のそれと大きく異なる点は、信号劣化の検出及び復旧を共にＦＣＳエラーによる制御トラフィックの廃棄バイトレートを用いるようにした点である。
すなわち、この実施例の信号劣化／復旧検出装置１Ａは、図３に示すように、ＦＣＳエラーにる制御用トラフィック廃棄バイトレート測定器１３の出力を信号劣化発生検出器１５Ａに接続し、信号劣化検出しきい値出力器１４Ａの出力を信号劣化復旧検出器１７Ａにも接続したことにその特徴部分がある。
この構成以外のこの実施例の構成は、実施例１と同じであるので、同一の構成部分には同一の参照符号を付して、その逐一の説明は省略する。
【００３７】
次に、図３を参照して、この実施例の動作について説明する。
ＦＣＳエラーにる制御用トラフィック廃棄バイトレート測定器１３（以下、測定器１３という）は、伝送路１１に流れる制御用トラフィックのＦＣＳエラーによる廃棄バイトレートＢを計測する。
信号劣化発生検出器１５Ａにおいて、測定器１３で測定されたレートＢと信号劣化検出しきい値出力器１４Ａから与えられるしきい値Ｃとが比較される。レートＢがしきい値Ｃを超えているならば、信号劣化の発生が信号劣化発生検出器１５Ａで検出される。
【００３８】
そして、測定器１３で計測されるレートＢと信号劣化検出しきい値出力器１４Ａに記録されたしきい値Ｃに所定の乗数を掛けた値とが、信号劣化復旧検出器１７で比較される。レートＢがしきい値Ｃに所定の乗数を掛けた値未満になったとき、信号劣化からの復旧が信号劣化復旧検出器１７Ａによって検出される。
【００３９】
このように、この実施例の構成によれば、信号劣化の検出にも、また、復旧にもＦＣＳエラーによる制御トラフィックの廃棄バイトレートを用いてトラフィックの信号劣化の検出及びその復旧の検出を行うことができる。
したがって、実施例１と同効を享受し得る。
【実施例３】
【００４０】
図４は、この発明の実施例３である信号劣化／復旧検出装置の電気的構成を示す図である。
この実施例の構成が、実施例１のそれと大きく異なる点は、伝送路の通信方式としての、ビットエラーレートを常時測定可能なＳＤＨ方式等においても実施し得るように構成した点である。
この実施例の信号劣化／復旧検出装置１Ｂは、図４に示すように、伝送路１１に流れる制御用トラフィックのＦＣＳエラーによる廃棄バイトレートを計測する代わりにＳＤＨ等の持っている機能によりビットエラーレートを計測するビットエラーレート測定器１３Ｂと、信号劣化の発生検出時のＦＣＳエラーによる制御用トラフィック廃棄バイトレートを保存する代わりにビットエラーレート測定器１３Ｂで計測されたビットエラーレートを保存するビットエラーレート保存器１６Ｂと、ビットエラーレート測定器１３Ｂで計測されたビットエラーレートＥとビットエラーレート保存器１６Ｂに保存されたビットエラーレートＦとを比較してビットエラーレートＥがビットエラーレートＦ未満になっとき、信号劣化からの復旧を検出する信号劣化復旧検出器１７Ｂとを設けて構成されることを特徴とする。
この構成以外のこの実施例の構成は、実施例１と同じであるので、同一の構成部分には同一の参照符号を付して、その逐一の説明は省略する。
【００４１】
次に、図４を参照して、この実施例の動作について説明する。
この実施例における信号劣化の検出は、実施例１と同じである。すなわち、ＦＣＳエラーによるトラフィック廃棄バイトレート測定器１２で計測されるレートＡと信号劣化検出しきい値出力器１４から出力される信号劣化検出しきい値Ｃとが信号劣化発生検出器１５で比較され、レートＡが信号劣化検出しきい値Ｃを超えたとき、トラフィックの信号劣化が検出される。
この信号劣化の検出時のビットエラーレート測定器１３ＢによるビットエラーレートＦが、ビットエラーレート保存器１６Ｂに保存される。
【００４２】
その後に、ビットエラーレート測定器１３Ｂで計測されたビットエラーレートＥとビットエラーレート保存器１６Ｂに保存されたビットエラーレートＦとが、信号劣化復旧検出器１７Ｂで比較され、ビットエラーレートＥがビットエラーレートＦ未満になったとき、通常トラフィックの信号劣化からの復旧が検出される。
【００４３】
このように、この実施例の構成によれば、トラフィックのＦＣＳエラーによる廃棄バイトレートが用いられてトラフィックの信号劣化の検出が行われる一方、信号劣化検出時のＳＤＨ方式等により測定されるビットエラーレートとその後のＳＤＨ方式等により測定されるビットエラーレートとが用いられて通常トラフィックの信号劣化からの復旧の検出が行われるので、実施例１のように制御用トラフィックのＦＣＳエラーによる廃棄バイトレートの計測を行うことなく、通常トラフィックの信号劣化の復旧検出を行うことができる。
このようなトラフィックの信号劣化の検出及び復旧の検出ができるから、実施例１と同様の効果が得られる。
【実施例４】
【００４４】
図５は、この発明の実施例４であるトラフィック伝送システムの構成を示す図である。
この実施例のトラフィック伝送システム３０は、図５に示すように、実施例１乃至実施例３の信号劣化／復旧検出装置をネットワーク（トラフィック伝送システム）のノードに設けて構成される。すなわち、トラフィック伝送システムの送信側ノード４０に送信部４１と、受信部４２と、プロテクション制御部４３とが設けられる一方、受信側ノード５０に受信部５１と、送信部５２と、信号劣化／復旧検出装置１（又は１Ａ、１Ｂ）と、信号劣化発生／消滅通知部５３とが設けられて構成されている。送信側ノード４０と受信側ノード５０とは伝送路１１で接続される。
【００４５】
送信部４１は、通常トラフィックと制御用トラフィックとを伝送路１１に伝送させるものである。受信部４２は、受信側ノード５０の送信部５２から制御用トラフィックの中に挿入されている信号劣化発生／消滅通知情報を受信するものである。プロテクション制御部４３は、受信部４２から転送される信号劣化発生情報又は信号劣化消滅通知情報に従って送信部４１から送出される通常トラフィックに対するプロテクションの設定又は解除を行う制御手段である。
【００４６】
受信部５１は、伝送路１１に流れる通常トラフィック及び制御用トラフィックを受信するものである。信号劣化／復旧検出装置１（又は１Ａ、１Ｂ）は、受信部５１で別々に受信する制御用トラフィック又は制御用トラフィック及び通常トラフィックを受け取って信号劣化検出と信号劣化復旧検出とを行うものである。
信号劣化発生／消滅通知部５３は、信号劣化／復旧検出装置１（又は１Ａ、１Ｂ）で検出される信号劣化検出又は信号劣化復旧検出に応答して信号劣化発生情報又は信号劣化消滅情報を送信部５２に転送するものである。送信部５２は、信号劣化発生情報又は信号劣化消滅情報を制御用トラフィックに挿入して伝送路１１に伝送するものである。
【００４７】
次に、図５を参照して、この実施例の動作について説明する。
このトラフィック伝送システム３０の動作を説明する都合上、送信側ノード４０の送信部４１から通常トラフィックと制御用トラフィックとが伝送路１１に伝送されているものとする。
この状態において、受信側ノード５０の受信部５１は、伝送路１１に流れている通常トラフィック及び制御用トラフィックを受信して信号劣化検出／復旧装置１（又は１Ａ、１Ｂ）に転送する。この転送は、信号劣化／復旧検出装置が実施例１又は３の信号劣化／復旧検出装置１又は１Ｂであれば、制御用トラフィック及び通常トラフィックを信号劣化／復旧検出装置１又は１Ｂに行い、信号劣化／復旧検出装置が実施例２の信号劣化／復旧装検出置１Ａであれば、制御用トラフィックを信号劣化／復旧検出装置１Ａに行う。
【００４８】
そして、信号劣化／復旧検出装置１（又は１Ａ、１Ｂ）で信号劣化が検出されると信号劣化発生情報が信号劣化発生／消滅通知部５３に転送される。信号劣化発生／消滅通知部５３に転送された信号劣化発生情報は、送信部５２から送信側ノード３０の受信部４２へ伝送される制御用トラフィックの中に挿入されて送信部５２から送信側ノード４０の受信部４２へ伝送される。
受信部４２で制御用トラフィックが受信されると、その制御用トラフィックの中の信号劣化発生情報が抽出されてプロテクション制御部４３に渡される。プロテクション制御部４３は、受け取った信号劣化発生情報に従って送信部４１から送出される通常トラフィックに対するプロテクションの設定を行う。
【００４９】
上述した信号劣化が復旧すると、その信号劣化復旧が信号劣化／復旧検出装置１（又は１Ａ、１Ｂ）で検出されてその検出情報が信号劣化発生／消滅通知部５３に転送される。信号劣化発生／消滅通知部５３は、信号劣化消滅情報を送信部５２に転送する。その信号劣化消滅情報は、送信部５２から送信側ノード３０の受信部４２へ伝送される制御用トラフィックの中に挿入されて送信部５２から送信側ノード４０の受信部４２へ伝送される。
受信部４２で制御用トラフィックが受信されると、その制御用トラフィックの中の信号劣化復旧情報が抽出されてプロテクション制御部４３に渡される。プロテクション制御部４３は、受け取った信号劣化消滅情報に従って送信部４１から送出される通常トラフィックに対するプロテクションの解除を行う。
【００５０】
このように、この実施例によれば、受信側において廃棄バイトレートにより信号劣化が検出されると、その信号劣化発生が送信側へ通知されて通常トラフィックに対するプロテクションが掛けられるが、信号劣化時の廃棄バイトレート又はビットエラーレートが保存されて信号劣化復旧を的確に検出しているから、従来のような信号劣化発生と信号劣化復旧との繰り返しを防止して正常なトラフィックを伝送路に生じさせることができる。
【００５１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記実施例においては、伝送路の信号劣化検出に廃棄バイトレートを用いる例を説明したが、トラフィック量を計測し得るその他の廃棄データレートを用いてもこの発明を構成し得る。また、伝送路の信号劣化復旧検出についても、また、同じである。
また、上記実施例においては、伝送路の信号劣化検出時のビットエラーレートを保存することを条件に、信号劣化復旧検出にビットエラーレートを用いる例を説明したが、上記条件を満たすことを前提にして信号劣化の復旧を計測し得るその他のデータエラーレートを用いてもこの発明を構成し得る。
【産業上の利用可能性】
【００５２】
ここに開示している信号劣化検出方法、信号劣化復旧検出方法及びそれらの装置並びにトラフィック伝送システムは、各種のトラフィック伝送システム、例えば、インターネット、ＬＡＮ等として利用し得る。
【図面の簡単な説明】
【００５３】
【図１】この発明の実施例１である信号劣化／復旧検出装置の電気的構成を示す図である。
【図２】同信号劣化／復旧検出装置の検出過程を示すフローチャートである。
【図３】この発明の実施例２である信号劣化／復旧検出装置の電気的構成を示す図である。
【図４】この発明の実施例３である信号劣化／復旧検出装置の電気的構成を示す図である。
【図５】この発明の実施例４である伝送システムの構成を示す図である。
【符号の説明】
【００５４】
１、１Ａ、１Ｂ      信号劣化／復旧検出装置
１１      伝送路
１２      ＦＣＳエラーによる通常トラフィック廃棄バイトレート測定器（測定手段）
１３      ＦＣＳエラーによる制御用トラフィック廃棄バイトレート測定器（測定手段）
１３Ｂ      ビットエラーレート測定器（測定手段）
１４、１４Ａ      信号劣化検出しきい値出力器（しきい値出力手段）
１５、１５Ａ      信号劣化発生検出器（検出手段）
１６      廃棄バイトレート保存器（保存手段）
１６Ｂ      ビットエラーレート保存器（保存手段）
１７、１７Ｂ      信号劣化復旧検出器（検出手段）
３０      伝送システム
４０      送信側ノード（送信装置）
４１      送信部
４２      受信部
４３      プロテクション制御部（プロテクション制御手段）
５０      受信側ノード（受信装置）
５１      受信部
５２      送信部
５３      信号劣化発生／消滅通知部
【図１】
2007274613.tif 000003
【図２】
2007274613.tif 000004
【図３】
2007274613.tif 000005
【図４】
2007274613.tif 000006
【図５】
2007274613.tif 000007